(57)【要約】【課題】趣があり、通気性に優れ良好な環境下で植物を生育することができ、更に人の健康を増進する機能が付加された植物生育用容器を提供すること。【解決手段】粉状炭と松煙と結合材とを混練して形成された素材を成形・固化して成る。結合材は、セメントと川砂と水とを混ぜ合わされて形成される。この結合材を成形後に硬化する合成樹脂から形成してもよい。また、素材を粉状炭と松煙と結合材と補強用短繊維とを混練して形成してもよい。【選択図】　　　　図１
2004000040.tif 000002
【特許請求の範囲】
【請求項１】
粉状炭と松煙と結合材とを混練して形成された素材を成形・固化してなる植物生育用容器。
【請求項２】
前記結合材がセメントと川砂と水とを混ぜ合わされて形成されたものである請求項１記載の植物生育用容器。
【請求項３】
前記結合材が成形後に硬化する合成樹脂である請求項１記載の植物生育用容器。
【請求項４】
粉状炭と松煙と結合材と補強用短繊維とを混練して形成された素材を成形後乾燥してなる植物生育用容器。
【発明の詳細な説明】
【０００１】
【発明の属する技術分野】
本発明は、植木鉢やプランター等の植物生育用容器に関する。
【０００２】
【従来の技術】
最近、家庭園芸が盛んである。家庭園芸では、容器を利用して植物をベランダや室内などで栽培する容器栽培が主流である。
【０００３】
ここで、植物生育用容器としては、植木鉢、プランター、ポットなどが用いられる。これら植木鉢等は、土を焼いて造られたりプラスチック材料を成形して造られているものが一般的である。
【０００４】
植物生育用容器の中に用土が入れられ植物の育成がなされる。植物は、根を通じて用土から栄養分や水分を吸収して成長する。
【０００５】
【発明が解決しようとする課題】
ところで、プラスチック製の植物生育用容器は、一般に安価であるが通気性が悪く植物の生育上問題がある。また、人工的な色彩が強く、より自然な環境下で植物の生育を楽しもうとする者にとっては不満が残る。
【０００６】
素焼きの植物生育用容器は、プラスチック製の容器よりは通気性が良いが、植物の生育の観点からするとまだ不十分である。また、プラスチック製容器よりは人工的な色彩は薄くなるが、ありふれたものであり、室内に置いた場合に趣に欠けるきらいがある。
【０００７】
なお、人は、植物を観賞することで心の安らぎを覚え健康によいと言われているが、植物生育用容器に人の健康を増進する機能が付加されれば更に好ましい。
【０００８】
本発明の目的は、上記事情に鑑み、趣があり、通気性に優れ良好な環境下で植物を生育することができ、更に人の健康を増進する機能が付加された植物生育用容器を提供することにある。
【０００９】
【課題を解決するための手段】
上記目的を達成するために、本発明は、粉状炭と松煙と結合材とを混練して形成された素材を成形・固化してなるものである。結合材は、セメントと川砂と水とを混ぜ合わされて形成される。なお、結合材を、成形後に硬化する合成樹脂から形成してもよい。また、素材を、粉状炭と松煙と結合材と補強用短繊維とを混練して形成してもよい。
【００１０】
かかる本発明の場合、容器が炭色（黒色）をしており、従来の容器にはない趣がある。なお、素材中に松煙が混入されているので、セメント等の結合材が混ぜ合わされていても、灰色となることはなく炭の黒々とした色を出すことができる。また、通気性に優れているとともに適度な排水性があり、良好な環境下で植物を生育することができる。
【００１１】
また、室内に本容器を置いた場合、当該容器中の炭成分や松煙成分からマイナスイオンが発生するので、室内にいる人のストレスの緩和、細胞の老化防止、新陳代謝の活性化促進、肺・呼吸器系の機能を高め、更に内分泌の働きをよくして、造血作用も改善される。
【発明の実施の形態】
以下、本発明の実施形態を図面を参照して説明する。
【００１２】
本発明に係る植物生育用容器１は、図１および図２に示すように、粉状炭と松煙と結合材とを混練して形成された素材６を成形・固化することにより構成されている。
【００１３】
この実施形態では、植物生育用容器１として、植木鉢が選定されている。なお、植木鉢以外の容器（例えば、プランター）を選定してもよい。
【００１４】
粉状炭は、炭（木炭、竹炭等）を砕いて粉状にしたものである。結合材は、セメントと川砂と水とを混ぜ合わされて形成されている。この実施形態では、特に耐久性を向上させるために、上記素材中に補強用短繊維を含めることとしている。補強用短繊維としては、ガラスウールやナイロン製の短繊維が使用できる。
【００１５】
上記素材６の各成分の重量割合は、炭成分：炭以外の成分＝（１：１）〜（１：３）とされている。炭成分の重量割合を多くすれば、容器の色がより黒々となる。また、炭以外の成分（特にセメント）の重量割合を多くすれば、構造強度を増すことができる。
【００１６】
上記粉状炭と松煙と結合材（セメントと川砂と水）とを混ぜ合わされて形成された素材６を、図１に示す型（下型２，上型３）に流し込んで成形する。成形後、所定時間（例えば、２日間）養生する。これにより、炭色（黒色）の植物生育用容器１が完成する。なお、図１において、５はネットであり、このネット５によって容器表面が多数の凹凸があるゴツゴツした岩肌のように仕上がる。また、容器上縁部も図１および図２に示すように不規則的な凹凸形状として、人工的な色彩が極力出ないように形成している（図２（Ａ），（Ｂ），（Ｃ）では凹凸を一部のみ図示する）。これらの処理によって、一段と趣を出すこととしている。
【００１７】
上記構成の本植物生育用容器１の場合、地肌が炭色（黒色）をしており、従来の容器にはない趣がある。なお、素材６中に松煙が混入されているので、セメント等の結合材が混ぜ合わされていても、灰色となることはなく炭の黒々とした色を鮮明に出すことができる。また、通気性に優れているとともに適度な排水性があり、良好な環境下で植物を生育することができる。
【００１８】
また、室内に本容器１を置いた場合、当該容器１中の炭成分や松煙成分からマイナスイオンが発生するので、室内にいる人のストレスの緩和、細胞の老化防止、新陳代謝の活性化促進、肺・呼吸器系の機能を高め、内分泌の働きをよくして、造血作用も改善される。
【００１９】
なお、成形用の型として、図３に示す樹脂型２Ａを使用してもよい。この樹脂型２Ａは、弾性変形可能な樹脂製とされており、流し込まれた素材６が固化した後その上部を押し開いて製品（植物生育用容器）を取り出し可能とされている。
【００２０】
また、結合材を、セメントと川砂と水とから形成したが、合成樹脂から形成してもよい。この合成樹脂製の結合材と粉状炭と松煙とが一緒に混練されて素材となり、当該素材は成形された後硬化して炭色（黒色）の植物生育用容器となる。
【００２１】
【発明の効果】
本発明によれば、粉状炭と松煙と結合材とを混練して形成された素材を成形・固化してなるので、地肌が炭色（黒色）をしており、従来の容器にはない趣がある。また、通気性に優れているとともに適度な排水性があり、良好な環境下で植物を生育することができる。また、室内に本容器を置いた場合、当該容器中の炭成分や松煙成分からマイナスイオンが発生するので、室内にいる人の健康増進が奏される。
【図面の簡単な説明】
【図１】本発明に係る植物生育用容器の製造方法を説明するための図である。
【図２】同じく、外観を説明するための斜視図である。
【図３】同じく、型の変形例を示す図である。
【符号の説明】
１　植物生育用容器
２　下型
３　上型
５　ネット
６　素材
【図１】
2004000040.tif 000003
【図２】
2004000040.tif 000004
【図３】
2004000040.tif 000005